(57)【特許請求の範囲】
【請求項１】
小便器の排水口と接続される第１流入口、及び、前記第１流入口の開口面積よりも大きい開口面積を有する第１流出口、を有する便器接続筒体と、
前記第１流出口が前記第１流出口の中心軸を中心に回転可能に接続される第２流入口、及び、壁に設けられた排水管に接続され前記第２流入口よりも小さい開口面積を有する第２流出口、を有する壁側接続筒体と、を備え、
前記便器接続筒体は、前記第１流入口が前記第１流出口の開口面積内に収まる範囲で偏心して形成され、
前記壁側接続筒体は、前記壁側接続筒体の取り付け状態において、前記第２流出口の下端部が前記第２流入口の下端部以下となるように偏心して形成され、
前記便器接続筒体、及び、前記壁側接続筒体の内周面の下端部の高さは、前記第１流入口の下端部から前記第２流出口の下端部まで、前記第１流入口側の下端部の高さ以下となるように形成されていることを特徴とする排水接続部材。
【請求項２】
前記壁側接続筒体の内周面は、前記排水管が挿し込まれる挿し込み部を、さらに備え、
前記挿し込み部の前記第２流入口側の下端部には、前記排水管の厚み以上の段部が形成されていることを特徴とする請求項１に記載の排水接続部材。
【発明の詳細な説明】
【技術分野】
【０００１】
本発明は、トイレルームの壁面に設置される排水接続部材に関する。
【背景技術】
【０００２】
壁面に設けられた排水管に接続して排水を行う小便器を、トイレのリフォームなどのために既存の小便器から新しい小便器に交換することがある。一般的に小便器の壁面に対する取り付け高さは、条例等の対応のために小便器のリップ部先端の高さが所定の高さとなるように取り付けられることが多い。
【０００３】
このとき、既存の小便器におけるリップ部先端から排水口までの高さと、新しい小便器におけるリップ部先端から排水口までの高さが異なっていると、壁面に設けられている排水管は既存の小便器の排水口に合わせて設けられているので、新しい小便器のリップ先端高さを既存の小便器のリップ先端高さを合わせて設置しようとすると、新しい小便器の排水口と壁面に設けられた排水管の高さが異なってしまう場合がある。
【０００４】
従来、このように既設の排水管と便器の排水口の位置が異なっている場合には、位置の異なる排水管と排水口を接続するための排水接続部材を利用していた。例えば、従来の床面に取り付けられる排水接続部材として、便器の排水口に接続される流入口と、排水管に接続される流出口とを偏心させて接続する連結管部を有するものが知られている（特許文献１参照。）。この排水接続部材においては、連結管部の向きを変更することで流出口に対する流入口の位置が変えられるため、排水管と便器の排水口の位置が異なっていても、両者を接続することができる。
【先行技術文献】
【特許文献】
【０００５】
【特許文献１】特開２００１−１３２０７２号公報
【発明の概要】
【発明が解決しようとする課題】
【０００６】
しかしながら、従来の床面に取り付けられる排水接続部材の構造を壁面に取り付けられる排水接続部材に採用した場合、連結管部の取り付け方向によっては、排水接続部材の内部の流路に排水管の下端部の高さよりも低くなる箇所が形成される場合がある。排水管の下端部の高さよりも低くなる箇所が形成されると、排水接続部材の内部に排水管に向けて上り傾斜となる箇所が形成されるので、排水接続部材の内部に尿が溜る構造となる場合があった。
【０００７】
本発明はこのような課題に対してなされたものであり、排水口が接続される流入口に対して排水管が接続される流出口の高さを複数に調整可能であって、且つ、排水接続部材の内部に尿が溜ることが抑制できる排水接続部材を提供することを目的とする。
【課題を解決するための手段】
【０００８】
上記課題を解決するために、第１の態様は、小便器の排水口と接続される第１流入口、及び、前記第１流入口の開口面積よりも大きい開口面積を有する第１流出口、を有する便器接続筒体と、前記第１流出口が前記第１流出口の中心軸を中心に回転可能に接続される第２流入口、及び、壁に設けられた排水管に接続され前記第２流入口よりも小さい開口面積を有する第２流出口、を有する壁側接続筒体と、を備え、前記便器接続筒体は、前記第１流入口が前記第１流出口の開口面積内に収まる範囲で偏心して形成され、前記壁側接続筒体は、前記壁側接続筒体の取り付け状態において、前記第２流出口の下端部が前記第２流入口の下端部以下となるように偏心して形成され、前記便器接続筒体、及び、前記壁側接続筒体の内周面の下端部の高さは、前記第１流入口の下端部から前記第２流出口の下端部まで、前記第１流入口側の下端部の高さ以下となるように形成されていることを特徴とする排水接続部材である。
【０００９】
このような構成によれば、小便器の排水口と壁面に形成された排水管の高さが異なる場合でも、両者を接続することができる。つまり、便器接続筒体の第１流入口は第１流出口に対して偏心しているため、壁側接続筒体に対して便器接続筒体を回転させることで、排水管が接続される第２流出口に対して、小便器の排水口が接続される第１流入口の高さを調整することができる。そのため、小便器の排水口と壁面に形成された排水管の高さが異なる場合でも、両者を接続することができる。また、第２流入口が排水管が接続される第２流出口よりも大きい開口面積を有しているため、便器接続筒体の第１流入口の調整範囲をより大きくすることができる。
【００１０】
また、このような構成によれば、排水接続部材の内部に尿が溜ることを抑制することができる。つまり、便器接続筒体の第１流入口は第１流出口の開口面積内に収まる範囲で偏心しているため、便器接続筒体を回転させても、第１流入口の下端部は、第１流出口の下端部よりも低くならない。そして、第２流出口の下端部は、壁側接続筒体の取り付け状態において、前記第２流入口の下端部以下となるように偏心して形成されているため、壁側接続筒体の内周面が、第２流入口から第２流出口まで下るように形成することができる。
【００１１】
さらに、便器接続筒体、及び、壁側接続筒体の内周面の下端部は第１流入口の下端部から、第２流出口の下端部まで、第１流入口側の下端部の高さ以下となるように形成されていることにより、第１流入口から第２流出口までの間に、第２流出口に向けて上り傾斜となる箇所が形成されない。従って、排水接続部材の内部に尿が溜ることを抑制することができる。
【００１２】
また、第２の態様は、第１の態様において、前記壁側接続筒体の内周面は、前記排水管が挿し込まれる挿し込み部を、さらに備え、前記挿し込み部の前記第２流入口側の下端部には、前記排水管の厚み以上の段部が形成されていることを特徴とする排水接続部材である。
【００１３】
排水管を壁側接続筒体の内側に挿し込むと、壁側接続筒体の内周面の下端部の高さは排水管の厚みだけ高くなってしまい、排水接続部材の内部に尿が溜る場合がある。しかし、排水管が挿し込まれる挿し込み部の、第２流入口側の下端部に排水管の厚み以上の段部を形成することで、排水管を壁側接続筒体の内側に挿し込んだとしても、排水管内周面の下端部の高さを段部の上端部の高さ以下にすることができる。従って、このような構成によれば、排水管を壁側接続筒体の内側に挿し込んで取り付ける排水接続部材であっても、排水接続部材の内部に尿が溜ることを抑制することができる。
【発明の効果】
【００１４】
本発明によれば、排水口が接続される流入口に対して排水管が接続される流出口の高さを複数に調整可能であって、且つ、排水接続部材の内部に尿が溜ることが抑制できる排水接続部材を提供することができる。
【図面の簡単な説明】
【００１５】
【図１】第１実施形態に係る排水接続部材が適用される小便器の斜視図である。
【図２】第１実施形態に係る排水接続部材が適用される小便器の設置状態を示す断面図である。
【図３】第１実施形態に係る排水接続部材の分解斜視図である。
【図４】図２において、排水接続部材周辺を拡大した断面図である。
【図５】（ａ）は第１実施形態の便器接続筒体の背面図である。（ｂ）は図５（ａ）のＡ−Ａ線における断面図である。
【図６】（ａ）は第１実施形態の壁側接続筒体の正面図である。（ｂ）は図６（ａ）のＢ−Ｂ線における断面図である。
【図７】（ａ）は第１実施形態に係る排水接続部材において、便器接続筒体の第１凹部に壁側接続筒体の凸部を係合した場合の断面図である。（ｂ）は第１実施形態に係る排水接続部材において、便器接続筒体の第２凹部に壁側接続筒体の凸部を係合した場合の断面図である。
【図８】第２実施形態に係る排水接続部材の設置状態を示す断面図である。
【図９】（ａ）は第２実施形態の壁側接続筒体の正面図である。（ｂ）は図６（ａ）のＣ−Ｃ線における断面図である。
【図１０】（ａ）は第２実施形態に係る排水接続部材において、便器接続筒体の第１凹部に壁側接続筒体の凸部を係合した場合の断面図である。（ｂ）は第２実施形態に係る排水接続部材において、便器接続筒体の第２凹部に壁側接続筒体の凸部を係合した場合の断面図である。
【発明を実施するための形態】
【００１６】
以下、添付図面を参照しながら本発明の実施の形態について説明する。説明の理解を容易にするため、各図面において同一の構成要素に対しては可能な限り同一の符号を付して、重複する説明は省略する。
【００１７】
＜＜第１実施形態＞＞
まず、本発明の第１実施形態に係る排水接続部材が適用される小便器について、図１及び図２を用いて説明する。図１は、第１実施形態の排水接続部材が適用される小便器の斜視図であり、図２は、第１実施形態の排水接続部材が適用される小便器の設置状態を示す断面図である。
【００１８】
図１に示すように、小便器１は壁面Ｗに接する状態で床Ｆから上方に離間した位置に設置される壁掛小便であり、排泄された尿を受けるボウル部２を有している。ボウル部２の周縁端には、リップ部７が形成されており、リップ部７の最も前方側に突出した箇所にリップ部７の先端７ａが形成されている。
【００１９】
また、図２に示すように、ボウル部２の下流となる下端部には尿や洗浄水をボウル部２の外部へと排出するための排水路３が形成されている。排水路３の壁面Ｗ側の端部には排水口４が形成されている。また、壁面Ｗには排水管１０が設けられており、排水管１０の前端には前方に向けて開口した入口部１１が形成されている。排水管１０の入口部１１には、排水管フランジ１３が接着固定されている。排水管フランジ１３は、排水管１０に挿入される挿入部１３ａと、排水管１０の入口部１１から外周方向に拡がるフランジ部１３ｂを有しており、排水管１０の内周面に挿入部１３ａを接着することで固定される。
【００２０】
小便器１の排水口４と排水管１０の入口部１１は上下方向の高さが異なっているが、排水接続部材２０により互いに接続される。つまり、排水接続部材２０は、小便器１の排水口４と、壁面Ｗに設けられた排水管１０の入口部１１とを接続する。このようにすることで、ボウル部２に配設された尿やボウル部２を洗浄する洗浄水は、排水路３を通り、排水接続部材２０を介して、排水管１０へと流れ出て行く。
【００２１】
また、小便器１は壁面Ｗに固定されているバックハンガー６によって壁面Ｗに取り付けられる。小便器１の後方面には、バックハンガー６を引っかけるための凹部５が形成されており、この凹部５にバックハンガー６を引っかける。そして、小便器１の下方側を排水接続部材２０のボルト固定部２３にボルト固定座金２８を通してボルト固定ナット２７で固定されたボルト２２を、小便器固定穴８と小便器固定用座金２６を通して、小便器固定用ナット２５で締め付けることで、壁面Ｗに固定される。なお、排水接続部材２０は壁面Ｗに対して壁固定ねじ２４によって固定されている。
【００２２】
次に、第１実施形態に係る排水接続部材２０について、図３及び図４を用いて説明する。図３は、第１実施形態に係る排水接続部材２０の分解斜視図である。図４は、図２において、排水接続部材２０周辺を拡大した断面図である。
【００２３】
排水接続部材２０は、小便器１の排水口４に接続される便器接続筒体４０と、排水管フランジ１３を介して排水管１０の入口部１１に接続される壁側接続筒体６０と、で構成されている。便器接続筒体４０は、小便器１の排水口４に接続される第１流入口４２と、便器接続筒体４０の下流側に設けられ第１流入口４２よりも大きい開口面積を有する第１流出口４４と、を有する第１筒部４１、及び、第１筒部４１の外周面側に形成されるフランジ部４５を備えている。また、壁側接続筒体６０は第１流出口４４が接続される第２流入口６２と、排水管フランジ１３を介して排水管１０に接続される第２流出口６４と、を有する第２筒部６１を備えている。
【００２４】
排水接続部材２０を壁面Ｗに設けられた排水管１０に取り付ける際には、まず、第１筒部４１の第１挿し込み部４８（図５参照。）に第２筒部６１の第２流入口６２を挿し込み、接着剤などで両者を固定する。そして、便器接続筒体４０と壁側接続筒体６０が一体となった排水接続部材２０を壁面Ｗに設けられたネジ穴（図示せず）に壁固定ねじ２４によって固定する。便器接続筒体４０のフランジ部４５の四隅には、この壁固定ねじ２４によって排水接続部材２０を壁面Ｗに固定するためのボルト穴４７が形成されている。
【００２５】
また、排水接続部材２０を取り付ける際に、小便器１の排水口４と便器接続筒体４０の第１流入口４２との間、及び、排水管フランジ１３のフランジ部１３ｂと壁側接続筒体６０の第２流出口６４との間には、塑性変形可能なシール部材２１をそれぞれ挟み込んで取り付ける。排水接続部材２０と、小便器１または壁面４との間で挟み込まれたシール部材２１は、潰れるように変形して密着するので、小便器１の排水口４と便器接続筒体４０の第１流入口４２との間、及び、排水管フランジ１３のフランジ部１３ｂと壁側接続筒体６０の第２流出口６４との間から漏水しないようにすることができる。
【００２６】
また、図４に示すように、便器接続筒体４０の第１流入口４２の周辺には、第１流入口４２から外径方向に拡がるにつれて小便器１から離れるような傾斜面４６が形成されている。この傾斜面４６が形成されていることにより、シール部材２１は、この傾斜面４６に沿って、第１流入口４２から拡がる方向へと変形し易くなる。そのため、小便器１を固定した時に、シール部材２１が変形して、第１流入口４２の開口内へとはみ出し、流れを阻害しないようにすることができる。
【００２７】
なお、壁側接続筒体６０の第２流出口６４の周辺にも、傾斜面７２が形成されている。傾斜面７２によって、便器接続筒体４０の傾斜面４６と同様に、排水管フランジ１３のフランジ部１３ｂと壁側接続筒体６０との間に挟まれているシール部材２１が変形して第２流出口６４の開口内へとはみ出し、流れを阻害しないようにすることができる。
【００２８】
＜便器接続筒体の説明＞
続いて、図５を用いて第１実施形態の便器接続筒体４０の構造について説明する。図５は、第１実施形態に係る排水接続部材２０の便器接続筒体４０の背面図および断面図であり、図５（ａ）は便器接続筒体４０の背面図、図５（ｂ）は図５（ａ）のＡ−Ａ線における断面図である。
【００２９】
図５に示すように、便器接続筒体４０の第１筒部４１は、第１流入口４２よりも大きい開口面積を有する第１流出口４４を有している。また、第１流入口４２の中心軸４２ａは、第１流出口４４の中心軸４４ａに対して偏心して形成されており、第１流入口４２は第１流出口４４の開口面積内に収まる範囲で偏心している。つまり、第１流入口４２の開口全体が、第１流出口４４の開口内からはみ出さないように形成されている。言い換えると、第１流入口４２の中心軸４２ａが第１流出口４４の中心軸４４ａに対して偏心可能な範囲は、図５（ａ）の背面視において第１流入口４２の開口が第１流出口４４の開口に一点で重なるまでが上限であり、それ以上離れて偏心することがないように形成されている。
【００３０】
このようにすることで、便器接続筒体４０を壁側接続筒体６０に対して回転させて取り付けたときに、第１流入口４２の下端部４２ｂが第１流出口４４の下端部４４ｂよりも低くならないようにすることができる。そのため、詳細については後述するが、便器接続筒体４０は、壁側接続筒体６０に対して回転して取り付けたとしても、第１流入口４２の下端部４２ｂが第１流出口４４の下端部４４ｂ以下の高さとならない。なお、本願明細書における下端は下方側の端部を表しており、例えば、図５（ａ）において、便器接続筒体４０が中心軸４２ａを中心として回転すると、第１流入口４２の下端部４２ｂ、及び、第１流出口４４の下端部４４ｂの位置は、それぞれ第１流入口４２および第１流出口４４に沿って変化する。
【００３１】
また、便器接続筒体４０の第１筒部４１には、第１流出口４４に連続して壁側接続筒体６０を挿し込むための第１挿し込み部４８が形成されており、この第１挿し込み部４８に壁側接続筒体６０の第２流入口６２を挿し込むことで、便器接続筒体４０と壁側接続筒体６０とが接続される。第１挿し込み部４８は第１流出口４４の中心軸４４ａを中心として、壁側接続筒体６０の厚み分だけ拡径して形成されている。これにより、第１挿し込み部４８に壁側接続筒体６０を挿し込んだ際に、便器接続筒体４０の第１流出口４４の下端部４４ｂに対して、壁側接続筒体６０の第２流入口６２の下端部６２ｂが上方側に高くならないようにしている。そのため、図４の便器接続筒体４０と壁側接続筒体６０を組み合わせた排水接続部材２０の断面図においては、第１流出口４４の下端部４４ｂと第２流入口６２の下端部６２ｂが同じ高さとなっていることが分かる。
【００３２】
また、第１筒部４１の内周面は、第１流入口４２から第１流出口６４まで滑らかに連続しており、水平勾配および下り勾配で形成されている。そのため、例えば、蛇腹形状のような凹凸は形成されていない。第１筒部の内周面に蛇腹形状の凹凸が形成されていると、蛇腹の折り目部分で、上り勾配となる箇所が形成されるため、第１筒部に尿が溜る箇所が形成されてしまう。
【００３３】
第１実施形態の排水接続部材２０における、便器接続筒体４０の内周面の下端部には、このような凹凸による上り勾配も形成されないようにしているため、便器接続筒体４０の第１筒部４１の内部に尿が溜ることを抑制することができる。
【００３４】
＜壁側接続筒体の説明＞
続いて、図６を用いて第１実施形態の壁側接続筒体６０の構造について説明する。図６は、第１実施形態に係る排水接続部材２０の壁側接続筒体６０の正面図および断面図であり、図６（ａ）は壁側接続筒体６０の正面図、図６（ｂ）は図６（ａ）のＢ−Ｂ線における断面図である。
【００３５】
壁側接続筒体６０の第２筒部６１は、便器接続筒体４０の第１流出口４４と接続される第２流入口６２、及び、排水管フランジ１３を介して排水管１０と接続される第２流出口６４を有している。第２流入口６２は、便器接続筒体４０の第１挿し込み部４８に挿し込まれるため、その外径は第１挿し込み部４８の内径とほぼ等しくなっている。
【００３６】
また、第２流入口６２は第２流出口６４よりも大きい開口面積を有しており、第２流出口６４の中心軸６４ａは第２流入口６２の中心軸６２ａに対して偏心している。第２流出口６４は、壁側接続筒体６０を排水管フランジ１３を介して排水管１０に接続した状態において、第２流出口６４の下端部６４ｂが、第２流入口６２の下端部６２ｂ以下となるように偏心して形成されている。
【００３７】
そのため、第１実施形態の壁側接続筒体６０では、図６（ａ）の正面視において、第２流入口６２の下端部６２ｂと第２流出口６４の下端部６４ｂが一点で重なるように形成されている。これにより、第２筒部６１の内周面の下端部は、図６（ｂ）に示すように、第２流入口６２の下端部６２ｂから第２流出口６４の下端部６４ｂまで等しい高さとなっている。一方で、第２流出口６４は第２流入口６２よりも開口面積が小さくなるので、第２筒部６１の内周面の上端部は、第２流入口６２から第２流出口６４の途中で下方側に折れ曲がっている。
【００３８】
なお、第２流出口６４の下端部６４ｂは、第２流入口６２の下端部６２ｂ以下となるように形成されていれば良いので、第２流出口６４は図６（ａ）に示す位置よりも下方側に形成されていても良い。つまり、第１実施形態の排水接続部材２０において、第２流出口６４の中心軸６４ａの第２流入口６２の中心軸６２ａに対して偏心可能な範囲は、第２流出口６４の開口が第２流入口６２の開口に一点で重なるまでが上限であり、それ以下の距離となることがないように形成されている。
【００３９】
また、壁側接続筒体６０は、図６に示す状態で壁面Ｗに取り付けられる。すなわち、図６（ｂ）に示す中心軸６２ａおよび中心軸６４ａが水平方向となるようにして壁面Ｗに取り付けられ、且つ、図６（ａ）に示すように、中心軸６２ａの方向から見た正面視において第２流入口６２の中心軸６２ａと第２流出口６４の中心軸６４ａとを結んだ直線が垂直となるようにして壁面Ｗに取り付けられる。
【００４０】
このようにすることで、壁側接続筒体６０を排水管フランジ１３を介して排水管１０に取り付けたときに、壁側接続筒体６０の内周面の下端部の高さを、第２流入口６２の下端部６２ｂから第２流出口６４の下端部６４ｂまで、水平勾配または下り勾配とすることができる。つまり、壁側接続筒体６０の内周面の下端部の高さを、第２流入口６２の下端部６２ｂから第２流出口６４の下端部６４ｂまで、第２流入口６２の下端部６２ｂ側の下端部の高さ以下となるようにすることができる。また、第２筒部６１も第１筒部４１と同様に、蛇腹状の凹凸などは形成されていない。そのため、壁側接続筒体６０の第２筒部６１の内部に尿が溜ることを抑制することができる。
【００４１】
なお、壁側接続体６０の壁面Ｗに対する取り付けについては、第２流出口６４の下端部６４ｂが第２流入口６２の下端部６２ｂ以下となっていれば、多少傾けて取り付けてられても構わない。
【００４２】
壁側接続筒体６０の第２筒部６１の外周面には、壁側接続筒体６０に対する便器接続筒体４０の回転位置を規定する凸部６８が形成されている。この凸部６８は、第１流出口４４の上下に一つずつ形成されている第１凹部５０、第２凹部５２の何れか一方に係合される（図５参照。）。なお、第１凹部５０および第２凹部５２は第１流入口４２の中心軸４２ａおよび第１流出口４４の中心軸４４ａを結んだ上下方向の直線上に形成されており、第１凹部５０は第１流出口４４の第１流入口が近づいている側に、第２凹部５２は第１流出口４４の第１流入口が離れている側にそれぞれ形成されている。したがって、壁側接続筒体６０に形成されている凸部６８を第１凹部５０または第２凹部５２の何れか一方に係合することで、便器接続筒体４０を壁側接続筒体６０に対して１８０度ずつ回転させて接続することができる。
【００４３】
＜作用の説明＞
続いて、第１実施形態に係る排水接続部材２０の作用について、図７を用いて説明する。図７は、便器接続筒体４０の壁側接続筒体６０に対する二つの接続状態について示した断面図であり、（ａ）は便器接続筒体４０の第１凹部５０に、壁側接続筒体６０の凸部６８を係合した場合の断面図である。また、（ｂ）は便器接続筒体４０の第２凹部５２に、壁側接続筒体６０の凸部６８を係合した場合の断面図である。
【００４４】
図７（ａ）に示すように、便器接続筒体４０の第１凹部５０に壁側接続筒体６０の凸部６８を係合すると、第１流入口４２の中心軸４２ａは第１流出口４４の中心軸４４ａに対して上方側に偏心する。また、図７（ｂ）に示すように、図７（ａ）に示す状態から便器接続筒体４０を中心軸４２ａを中心として１８０度回転させ、便器接続筒体４０の第２凹部５２に壁側接続筒体６０の凸部６８に係合させると、第１流入口４２の中心軸４２ａは第１流出口４４の中心軸４４ａに対して下方側に偏心する。また、図７（ａ）および図７（ｂ）いずれの場合においても、壁側接続筒体６０の状態は変わらない。そのため、図７（ａ）における第１流入口４２の中心軸４２ａと第２流出口６４の中心軸６４ａとの距離ｄ２は、図７（ｂ）における第１流入口４２の中心軸４２ａと第２流出口６４の中心軸６４ａとの距離ｄ３に比べて大きくなっている。
【００４５】
このように、第１実施形態の排水接続部材２０においては、壁側接続筒体６０に対して便器接続筒体４０を回転させて接続することで、第２流出口６４に対する第１流入口４２の高さを変更することができる。つまり、小便器１の排水口４が接続される第１流入口４２に対して、排水管フランジ１３を介して排水管１０が接続される第２流出口６４の高さを調整することができる。そのため、第１実施形態の排水接続部材２０は、小便器１の排水口４と壁面Ｗに形成された排水管１０との高さが異なる場合でも小便器１を設置する高さを変えずに両者を接続するといった施工対応をとることができる。
【００４６】
また、第１実施形態の排水接続部材２０では、便器接続筒体４０の第１凹部５０に壁側接続筒体６０の凸部６８を係合した場合、及び、便器接続筒体４０の第２凹部５２に、壁側接続筒体６０の凸部６８を係合した場合の何れの場合においても、便器接続筒体４０の第１筒部４１、及び、壁側接続筒体６０第２筒部６２の内周面の下端部の高さが、第１流入口４２の下端部４２ｂから第２流出口６４の下端部６４ｂまで、第１流入口４２側の下端部の高さ以下となるように形成されている。
【００４７】
つまり、第１実施形態の排水接続部材２０は、図７（ａ）、及び、図７（ｂ）に示すように、いずれの場合においても、便器接続筒体４０の第１筒部４１、及び、壁側接続筒体６０の第２筒部６１における内周面の下端部の高さが、第１流入口４２の下端部４２ｂから第２流出口６４の下端部６４ｂまで、水平勾配または下り勾配となるように形成されている。
【００４８】
これについて、まず、図７（ａ）について説明する。図７（ａ）では、第１流入口４２は第１流出口４４に対して上方側に偏心した状態で、壁側接続筒体６０に接続されている。そのため、便器接続筒体４０の第１筒部４１における内周面の下端部は、第１流入口４２の下端部４２ｂから第１流出口４４の下端部４４ｂまで、水平勾配および下り勾配で形成される。
【００４９】
また、上述したように便器接続筒体４の第１筒部４１における第１挿し込み部４８は第１流出口４４から拡径して形成されているため、第１筒部４１の第１挿し込み部４８に壁側接続筒体６０の第２流入口６２が挿し込まれたときに、第２流入口６２の下端部６２ｂを第１流出口４４の下端部４４ｂ以下の高さとすることができる。
【００５０】
さらに、壁側接続筒体６０は第１挿し込み部４８の端部４８ａに接するまで挿し込まれるので、第１流出口４４の下端部４４ｂから第２流入口６２の下端部６２ｂまでは平らな状態、又は、第１流出口４４の下端部４４ｂから第２流入口６２の下端部６２ｂまで下方側に下る状態となる。そのため、便器接続筒体４０の第１流出口４４と、壁側接続筒体６０の第２流入口６２との間に小便器１から流れてきた尿が溜る凹みは形成されない。従って、便器接続筒体４０の第１筒部４１の第１流入口４２から壁側接続筒体６０の第２筒部６１の第２流入口６２までの内周面の下端部は、水平勾配および下り勾配で形成される。
【００５１】
また、壁側接続筒体６０は、排水管フランジ１３を介して排水管１０が接続される第２流出口６４の中心軸６４ａに対して、第２流入口６２の中心軸６２ａが上方側に偏心した状態で取り付けられ、さらに、第２流出口６４は、第２流出口の下端部６４ｂの高さが第２流入口６２の下端部６２ｂ以下となるように形成されている。
【００５２】
そのため、壁側接続筒体６０の第２筒部６１における内周面の下端部の高さは、第２流入口６２の下端部６２ｂから第２流出口６４の下端部６４ｂまで、第２流入口６２側の下端部の高さ以下となるように形成されている。つまり、壁側接続筒体６０の第２筒部６１における内周面の下端部の高さは、第２流入口６２の下端部６２ｂから第２流出口６４の下端部６４ｂまで水平勾配および下り勾配で形成されている。
【００５３】
従って、以上説明したように第１実施形態の排水接続部材２０では、便器接続筒体４０の第１凹部５０に壁側接続筒体６０の凸部６８を係合した場合において、便器接続筒体４０の第１筒部４１、及び、壁側接続筒体６０の第２筒部６１における内周面の下端部の高さは、第１流入口４２の下端部４２ｂから第２流出口６４の下端部６４ｂまで、第１流入口４２側の下端部の高さ以下となるように形成されている。
【００５４】
続いて、図７（ｂ）の便器接続筒体４０の第２凹部５２に壁側接続筒体６０の凸部６８を係合した場合について説明する。図７（ｂ）では、第１流入口４２は第１流出口４４に対して下方側に偏心した状態で、壁側接続筒体６０に接続されている。
【００５５】
壁側接続筒体６０の排水管フランジ１３を介して排水管１０に対する取り付け方向は変わらないため、便器接続筒体４０の第２凹部５２に壁側接続筒体６０の凸部６８を係合すると、第２凹部５２が上方側となり第１凹部５０が下方側となる。そのため、図７（ｂ）に示す状態では、便器接続筒体４０の第１流入口４２が最も下方側に偏心した状態となる。
【００５６】
しかしながら、上述した通り、第１流入口４２は第１流出口４４の開口面積内に収まる範囲で偏心しているため、第１流入口４２の下端部４２ｂは、第１流出口の下端部４４ｂより低くならない。そのため、図７（ｂ）に示すように、便器接続筒体４０の第２凹部５２に壁側接続筒体６０の凸部６８を係合した場合であっても、第１流入口４２の下端部４２ｂから第１流出口４４の下端部４４ｂまでは水平勾配または下り勾配で形成することができる。
【００５７】
従って、以上説明したように、第１実施形態の排水接続部材２０では、便器接続筒体４０の第２凹部５２に壁側接続筒体６０の凸部６８を係合した場合において、便器接続筒体４０の第１筒部４１、及び、壁側接続筒体６０の第２筒部６１における内周面の下端部の高さは、第１流入口４２の下端部４２ｂから第２流出口６４の下端部６４ｂまで、第１流出口４２側の下端部の高さ以下となるように形成されている。
【００５８】
このように、第１実施形態の排水接続部材２０では、壁側接続筒体６０に対して便器接続筒体４０を回転させて取り付け、第２流出口６４に対する第１流入口４２の高さを調整したとしても、便器接続筒体４０の第１筒部４１における第１流入口４２の下端部４２ｂから壁側接続筒体６０の第２筒部６１における第２流出口６４の下端部６４ｂまで、上り勾配となる箇所が形成されないので、排水接続部材２０の内部の流路に尿が溜ることを抑制することができる。
【００５９】
また、第２流入口６２は、排水管フランジ１３を介して排水管１０が接続される第２流出口６４よりも大きい開口面積を有しているため、便器接続筒体４０の第１流入口４２の調整範囲をより大きくすることができる。つまり、便器接続筒体４０の第１流入口４２の高さは壁側接続筒体６０の第２流入口６２に対して回転させることで調整されるため、第２流入口６２の開口面積が大きくなると、第２流入口６２に対して回転する便器接続筒体４０の調整範囲も大きくすることができる。
【００６０】
＜＜第２実施形態＞＞
続いて、本発明の第２実施形態に係る排水接続部材３０について図８、及び、図９を用いて説明する。図８は第２実施形態に係る排水接続部材３０の設置状態を示す拡大断面図である。図９は第２実施形態に係る排水接続部材３０の壁側接続筒体８０の正面図および断面図であり、図９（ａ）は壁側接続筒体８０の正面図、図９（ｂ）は図９（ａ）のＣ−Ｃ線における断面図である。図１０は第２実施形態に係る排水接続部材３０の、便器接続筒体４０の壁側接続筒体８０に対する二つの接続状態について示した断面図であり、（ａ）は便器接続筒体４０の第１凹部５０に、壁側接続筒体８０の凸部８８を係合した場合の断面図である。また、（ｂ）は便器接続筒体４０の第２凹部５２に、壁側接続筒体８０の凸部８８を係合した場合の断面図である。
【００６１】
図８に示すように、第２実施形態に係る排水接続部材３０は、第１実施形態の排水接続部材２０と比べて、壁面Ｗに設けられている排水管１０への接続方法が異なっている。つまり、第２実施形態の排水接続部材３０では、壁面Ｗから所定量突出して設けられている排水管１０を壁側接続筒体８０に挿し込むための第２挿し込み部８６が、第２流出口８４よりも壁面Ｗ側に形成されている。この第２挿し込み部８６に壁面Ｗに設けられている排水管１０を挿し込むことで、壁側接続筒体８０と排水管１０とを接続している。
【００６２】
また、第２挿し込み部８６の第２流入口８２側の端部には段部９０が形成されており、排水管１０の入口部１１は段部９０に当接するまで挿し込まれる。また、排水接続部材３０を壁面Ｗに取り付けた際に、排水管１０の入口部１１が壁側接続筒体６０の段部９０に当接する長さに予め加工されていることも好ましい。また、壁側接続筒体８０と排水管１０は、第２挿し込み部８６の内周面と排水管１０の外周面との間に図示しない接着剤またはシール材などを用いることで、便器接続筒体８０と排水管１０との間から水漏れしないように接続される。
【００６３】
＜壁側接続筒体の説明＞
第２実施形態の排水接続部材３０における、壁側接続筒体８０について図９を用いて説明する。図９に示すように、第２実施形態に係る壁側接続筒体８０は、便器接続筒体４０の第１流出口４４と接続される第２流入口８２、及び、第２流入口８２に対して偏心して形成される第２流出口８４を有する第２筒部８１、並びに、排水管１０が挿し込まれる第２挿し込み部８６を備えている。第２流入口８２は、便器接続筒体４０の第１挿し込み部４８に挿し込まれるため、その外径は第１挿し込み部４８の内径とほぼ等しくなっている。また、第２挿し込み部８６は、排水管１０が挿し込まれるため、第２挿し込み部８６の内径と、排水管１０の外径はほぼ等しくなっている。
【００６４】
また、図９（ｂ）に示すように、側面視において段部９０が形成される位置、つまり、壁側接続筒体８０の第２筒部８１と第２挿し込み部８６との境界部には、第２流入口よりも小さい開口面積を有する第２流出口８４が形成されている。図９に示すように、第２挿し込み部８６の中心軸８６ａは第２流入口８２の中心軸８２ａに対して下方側に偏心して形成されており、さらに、第２挿し込み部８６の下端部８６ｂは第２流入口８２の下端部８２ｂよりも低い位置となっている。そのため、図９（ａ）に示すように、第２筒部８１と第２挿し込み部８６の境界部に形成される第２流出口８４も、第２流入口８２に対して偏心して形成されており、第２流出口８４の開口形状は、上側が第２挿し込み部８６の内径となっており、下側は第２流入口の内径で形成されている。つまり、第２流出口８４は、壁側接続筒体８０を排水管１０に取り付けた状態において、第２流出口８４の下端部８４ｂが、第２流入口８２の下端部８２ｂ以下となるように偏心して形成されている。
【００６５】
なお、第２実施形態の壁側接続筒体８０における第２流出口８４の形状は上述した形状に限定されるものではなく、例えば、円形状や楕円形状などであってもよい。また、第２流出口８４の開口形状は上述したように２つの円の重複部分を抜き出した形状となっている。
【００６６】
第２流出口８４の下端部８４ｂが第２流入口８２の下端部８２ｂ以下となるように形成されるために、第２挿し込み部８６の中心軸８６ａが第２流入口８２の中心軸８２ａに対して偏心可能な範囲は、図９（ａ）の正面視において、第２挿し込み部８６の下端部８６ｂと第２流入口８２の下端部８２ｂとの上下方向の距離が排水管１０の厚みｄ１と等しくなるまでが下限であり、正面視における中心軸８２ａと中心軸８６ａとの距離がそれ以下となることがないように形成されている。また、壁側接続筒体８０は、壁面Ｗに設けられている排水管１０に対して、図９（ａ）の正面視において第２流入口８２の中心軸８２ａと第２挿し込み部８６の中心軸８６ａを結ぶ直線が垂直方向となるように取り付けられる。
【００６７】
このようにすることで、壁側接続筒体８０を壁面Ｗに設けられた排水管１０に取り付けたときに、壁側接続筒体８０の内周面の下端部の高さを、第２流入口８２の下端部８２ｂから第２流出口８４の下端部８４ｂまで、水平勾配および下り勾配とすることができる。つまり、壁側接続筒体８０の内周面の下端部の高さを、第２流入口８２の下端部８２ｂから第２流出口８４の下端部８４ｂまで、第２流入口８２の下端部８２ｂ側の下端部の高さ以下となるようにすることができる。そのため、壁側接続筒体８０の内部に尿が溜ることを抑制することができる。
【００６８】
また、壁側接続筒体８０の第２挿し込み部８６の、第２流入口８２側の端部には、排水管１０の厚みｄ１以上の高さを有する段部９０が形成されている。第２実施形態の壁側接続筒体８０では、図８に示すように、第２挿し込み部８６の内側に排水管１０を挿し込むため、排水管１０を挿し込んだ状態においては、壁側接続筒体８０の内周面の下端部の高さは排水管１０の厚みｄ１だけ高くなる。
【００６９】
しかし、この排水管１０の厚みｄ１以上の高さを有する段部９０を形成することによって、第２挿し込み部８６に排水管１０を挿し込んだとしても、排水管１０の内周面の下端部１１ｂの高さは、段部９０の上端部９０ｂの高さ以下とすることができる。そのため、壁側接続筒体８０の第２流入口８２の下端部８２ｂから排水管１０の内周面の下端部１１ｂまで、水平勾配および下り勾配とすることができる。  
【００７０】
また、壁側接続筒体８０の外周面には、壁側接続筒体８０に対する便器接続筒体４０の回転位置を規定する凸部８８が形成されている。この凸部８８は、第１流出口４４の上下に一つずつ形成されている第１凹部５０、第２凹部５２の何れか一方に係合される。なお、第１凹部５０および第２凹部５２は第１流入口４２の中心軸４２ａおよび第１流出口４４の中心軸４４ａを結んだ上下方向の直線状に形成されており、第１凹部５０は第１流出口４４の第１流入口が近づいている側に、第２凹部５２は第１流出口４４の第１流入口が離れている側にそれぞれ形成されている。
【００７１】
従って、壁側接続筒体８０に形成されている凸部８８を第１凹部５０または第２凹部５２の何れか一方に係合することで、便器接続筒体４０を壁側接続筒体８０に対して１８０度ずつ回転させて接続することができる。
【００７２】
＜作用の説明＞
続いて、第２実施形態に係る排水接続部材３０の作用について、図１０を用いて説明する。図１０は、便器接続筒体４０の壁側接続筒体８０に対する二つの接続状態について示した断面図であり、（ａ）は便器接続筒体４０の第１凹部５０に、壁側接続筒体８０の凸部８８を係合した場合の断面図である。また、（ｂ）は便器接続筒体４０の第２凹部５２に、壁側接続筒体８０の凸部８８を係合した場合の断面図である。
【００７３】
図１０（ａ）に示すように、便器接続筒体４０の第１凹部５０に壁側接続筒体８０の凸部８８を係合すると、第１流入口４２の中心軸４２ａは第１流出口４４の中心軸４４ａに対して上方側に偏心する。また、図１０（ｂ）に示すように、図１０（ａ）に示す状態から便器接続筒体４０を１８０度回転させて、便器接続筒体４０の第２凹部５２に壁側接続筒体８０の凸部８８に係合させると、第１流入口４２の中心軸４２ａは第１流出口４４の中心軸４４ａに対して下方側に偏心する。また、図１０（ａ）および図１０（ｂ）いずれの場合においても、壁側接続筒体８０の状態は変わらない。そのため、図１０（ａ）における第１流入口４２の中心軸４２ａと第２挿し込み部８６の中心軸８６ａとの距離ｄ４は、図１０（ｂ）における第１流入口４２の中心軸４２ａと第２挿し込み部８６の中心軸８６ａとの距離ｄ５に比べて大きくなっている。
【００７４】
このように、第２実施形態の排水接続部材３０においては、壁側接続筒体８０に対して便器接続筒体４０を回転させて接続することで、第２流出口８４に対する第１流入口４２の高さを変更することができる。つまり、小便器１の排水口４が接続される第１流入口４２に対して、排水管１０が接続される第２流出口８４の高さを調整することができる。
【００７５】
また、第２実施形態の排水接続部材３０では、便器接続筒体４０の第１凹部５０に壁側接続筒体８０の凸部８８を係合した場合、及び、便器接続筒体４０の第２凹部５２に、壁側接続筒体８０の凸部８８を係合した場合の何れの場合においても、便器接続筒体４０の第１筒部４１、及び、壁側接続筒体８０の第２筒部８１における内周面の下端部の高さが、第１流入口４２の下端部４２ｂから第２流出口８４の下端部８４ｂまで、第１流入口４２側の下端部の高さ以下となるように形成されている。
【００７６】
つまり、第２実施形態の排水接続部材３０は、図１０（ａ）、図１０（ｂ）に示すいずれの場合においても、便器接続筒体４０の第１筒部４１、及び、壁側接続筒体８０の第２筒部８１における内周面の下端部の高さが、第１流入口４２の下端部４２ｂから第２流出口８４の下端部８４ｂまで、水平勾配または下り勾配となるように形成されている。
【００７７】
これについて、まず図１０（ａ）について説明する。図１０（ａ）では、第１流入口４２は第１流出口４４に対して上方側に偏心した状態で、壁側接続筒体８０に接続されている。そのため、便器接続筒体４０の第１筒部４１における内周面の下端部は、第１流入口４２の下端部４２ｂから第１流出口４４ｂまで、水平勾配または下り勾配となる。
【００７８】
また、上述したように便器接続筒体４０の第１筒部４１の第１挿し込み部４８は第１流出口４４から拡径して形成されているため、便器接続筒体４０の第１筒部４１の第１挿し込み部４８に壁側接続筒体８０の第２流入口８２が挿し込まれたときに、第２流入口８２の下端部８２ｂを第１流出口４４の下端部４４ｂ以下の高さとすることができる。
【００７９】
さらに、壁側接続筒体８０は第１挿し込み部４８の第１流入口４２側の端部に接するまで挿し込まれるため、便器接続筒体４０の第１流出口４４と、壁側接続筒体８０の第２流入口８２との間に小便器１から流れてきた尿が溜る凹みは形成されない。
そのため、便器接続筒体４０の第１流入口４２から壁側接続筒体８０の第２流入口８２までの内周面の下端部は、水平勾配または下り勾配で形成される。
【００８０】
また、壁側接続筒体８０は、排水管１０が接続される第２挿し込み部８６の中心軸８６ａに対して、第２流入口８２の中心軸８２ａが上方側に偏心した状態で取り付けられ、さらに、第２流出口８４は、第２流出口８４の下端部８４ｂの高さが第２流入口８２の下端部８２ｂ以下となるように形成されている。そのため、壁側接続筒体８０の内周面の下端部の高さは、第２流入口８２の下端部８２ｂから第２流出口８４の下端部８４ｂまで、第２流入口８２側の下端部の高さ以下となるように形成されている。つまり、壁側接続筒体８０の内周面の下端部の高さは、第２流入口８２の下端部８２ｂから第２流出口８４の下端部８４ｂまで水平勾配、または、下り勾配で形成されている。
【００８１】
従って、以上説明したように第２実施形態の排水接続部材３０では、便器接続筒体４０の第１凹部５０に壁側接続筒体８０の凸部８８を係合した場合において、便器接続筒体４０の第１筒部４１、及び、壁側接続筒体８０の第２筒部８１における内周面の下端部の高さは、第１流入口４２の下端部４２ｂから第２流出口８４の下端部８４ｂまで、第１流入口４２側の下端部の高さ以下となるように形成されている。
【００８２】
さらに、第２実施形態の排水接続部材３０では、排水管１０を挿し込んだときに、第２流出口８４の下端部８４ｂから排水管１０の厚みｄ１だけ排水接続部材３０の内周面の下端部が高くなったとしても、第１流入口４２の下端部４２ｂから排水管１０の下端部１１ｂまで、第１流入口４２の下端部４２ｂの高さ以下となるようにするために段部９０が形成されている。
【００８３】
そのため、壁側接続筒体８０の第２挿し込み部８６に排水管１０を挿し込んだとしても、排水管１０の内周面の下端部１１ｄの高さを、第２流出口８４の下端部８４ｂ以下とすることができる。
【００８４】
従って、第２実施形態の排水接続部材３０では、便器接続筒体４０の第１筒部４１、及び、壁側接続筒体８０の第２筒部８１における内周面の下端部の高さは、第１流入口４２の下端部４２ｂから排水管１０の内周面の下端部１１ｂまで、第１流入口４２側の下端部の高さ以下となるように形成されている。つまり、便器接続筒体４０の第１筒部４１、及び、壁側接続筒体８０の第２筒部８１における内周面の下端部の高さは、第１流入口４２の下端部４２ｂから排水管１０の内周面の下端部１１ｂまで、水平勾配または下り勾配で形成されている。
【００８５】
また、第２実施形態に係る排水接続部材３０の便器接続筒体４０は、第１実施形態に係る排水接続部材２０の便器接続筒体４０と同形状である。そのため、図１０（ｂ）に示すように、便器接続筒体４０の第２凹部５２に壁側接続筒体８０の凸部８８を係合させた場合でも、第１流入口４２の下端部４２ｂから、第２流入口８２の下端部８２ｂまでの、内周面の下端部の高さは水平勾配または下り勾配で形成することができる。
【００８６】
そのため、図１０（ｂ）に示す、便器接続筒体４０の第２凹部５２に壁側接続筒体８０の凸部８８を係合させた場合でも、便器接続筒体４０の第１筒部４１、及び、壁側接続筒体８０の第２筒部８１における内周面の下端部の高さは、第１流入口４２の下端部４２ｂから排水管１０の内周面の下端部１１ｂまで、水平勾配または下り勾配で形成されている。
【００８７】
従って、第２実施形態の排水接続部材３０では、壁側接続筒体８０に対して便器接続筒体４０を回転させて取り付けたとしても、便器接続筒体４０の第１流入口４２から排水管１０の入口部１１まで上り勾配となる箇所が形成されないため、排水接続部材３０の内部の流路に尿が溜ることを抑制することができる。
＜＜変形例＞＞
【００８８】
以上、本願の開示する技術の実施形態について説明したが、本願の開示する技術は上記に限定されるものではない。
【００８９】
例えば、図４において、便器接続筒体４０の内側に壁側接続筒体６０が挿入されると説明したが、本発明の排水接続部材２０はこれに限定されるものではなく、便器接続筒体４０が壁側接続筒体６０の内部に挿入されるように構成されていても良い。
【００９０】
また、例えば、図８において、壁側接続筒体８０の第２挿し込み部８６に壁面Ｗから突出して設けられた排水管１０が挿入されると説明したが、本発明の排水接続部材はこれに限定されるものではない。そのため、例えば、壁側接続管８０の第２挿し込み部８６が、排水管１０の内周面に対して挿し込まれるように形成されているものであっても良い。
【００９１】
また、例えば、図４などにおいて、小便器１の排水口４と壁側接続筒体４０の第１流入口４２との間はＰシール２１によって水密に接続されていると説明したが、本発明の排水接続部材２０における排水口４と第１流入口４２との接続方法はこれに限定されるものではない。そのため、例えば、壁側接続筒体４０の第１流入口４２にゴムパッキンなどを設け、ゴムパッキンに小便器１の排水口４を挿し込むようにして接続するものであっても良い。
【００９２】
なお、前述した各実施形態が備える各要素は、技術的に可能な限りにおいて組み合わせることができ、これらを組み合わせたものも本発明の特徴を含む限り本発明の範囲に包含される。
【符号の説明】
【００９３】
１：小便器
２：ボウル部
３：排水路
４：排水口
５：小便器凹部
６：バックハンガー
７：リップ部
７ａ：リップ部先端
９：小便器固定穴
１０：排水管
１１：入口部
１１ｂ：給水管の内周面の下端部
１３：排水管フランジ
１３ａ：挿入部
１３ｂ：フランジ部
２０：排水接続部材
２１：シール部材
２２：ボルト
２３：ボルト固定部
２４：壁固定ねじ
２５：小便器固定ナット
２６：小便器固定座金
２７：ボルト固定ナット
２８：ボルト固定座金
３０：排水接続部材
４０：便器接続筒体
４１：第１筒部
４２：第１流入口
４２ａ：第１流入口中心軸
４２ｂ：第１流入口の下端部
４４：第１流出口
４４ａ：第１流出口中心軸
４４ｂ：第１流出口の下端部
４５：フランジ部
４６：傾斜面
４７：ボルト穴
４８：第１挿し込み部
４８ａ：第１挿し込み部の端部５０：第１凹部
５２：第２凹部
６０：壁側接続筒体
６１：第２筒部
６２：第２流入口
６２ａ：第２流入口中心軸
６２ｂ：第２流入口の下端部
６４：第２流出口
６４ａ：第２流出口中心軸
６４ｂ：第２流出口の下端部
６８：凸部
７２：傾斜面
８０：壁側接続筒体
８１：第２筒部
８２：第２流入口
８２ａ：第２流入口中心軸
８２ｂ：第２流入口の下端部
８４：第２流出口
８４ａ：第２流出口中心軸
８４ｂ：第２流出口の下端部
８６：第２挿し込み部
８６ａ：第２挿し込み部の中心軸
８８：凸部
９０：段部
９０ｂ：段部の上端部
Ｗ：壁面
Ｆ：床面
【図１】
0006424663.tif 000002
【図２】
0006424663.tif 000003
【図３】
0006424663.tif 000004
【図４】
0006424663.tif 000005
【図５】
0006424663.tif 000006
【図６】
0006424663.tif 000007
【図７】
0006424663.tif 000008
【図８】
0006424663.tif 000009
【図９】
0006424663.tif 000010
【図１０】
0006424663.tif 000011